(57)【特許請求の範囲】
【請求項１】
表面側を覆う透液性のトップシートと、裏面側を覆う不透液性のバックシートと、前記各シート間に介在された吸収体と、前記バックシートの最外層を形成する透明ないし半透明の外層シートと、フィット性を向上させるため腹部位置の上方のエンドフラップに設けられた弾性伸縮部材と、前記バックシートの外側背部両側に固定されたおむつ止着用のファスニングテープを具備して成るおむつ本体を長手方向中央部より折り畳むことにより前身頃と後身頃を形成するように構成されたＦＴＴレスタイプの使い捨て紙おむつにおいて、前記腹部位置における前記バックシートと前記外層シートとの間に前記ファスニングテープの止着位置を表示するターゲット印刷を施した帯条のシートを配設して成ることを特徴とする使い捨て紙おむつ。
【請求項２】
前記ターゲット印刷は多色印刷であることを特徴とする請求項１に記載の使い捨て紙おむつ。
【請求項３】
前記ターゲット印刷は乳幼児の知育を目的とした絵柄を含むことを特徴とする請求項１または請求項２に記載の使い捨て紙おむつ。
【発明の詳細な説明】
【０００１】
【発明の属する技術分野】
本発明は、使い捨て紙おむつに関し、さらに詳細には、フロンタルターゲットテープ（Frontal Target Tape、以下「ＦＴＴ」という）を有しない（以下「ＦＴＴレス」という）使い捨て紙おむつに関する。
【０００２】
【従来の技術】
従来、市販されている使い捨て紙おむつとしては、おむつ装着用のファスニングテープの端部を、バックシートの前身頃腹部位置に付設されたＦＴＴに止着して使用するＦＴＴタイプのものが大部分である。このＦＴＴの主目的は、使用中にファスニングテープがバックシートを破損したり、バックシートから外れたりすることを防止することにあり、シート状のフィルムによりバックシートを補強することから補強フィルムとも呼ばれている。
【０００３】
しかしながら、このようなＦＴＴタイプのおむつにおいては、装着者がおむつを乳幼児等の着用者に装着する際に、ＦＴＴというターゲットがあるにも拘らず、ファスニングテープの止着位置を間違えてバックシート上に止着してしまい、バックシートを破損するという問題が度々発生していた。
【０００４】
このため、最近、このような破損防止を図るためバックシートの強度をアップし、ＦＴＴを用いないようにしたＦＴＴレスタイプの使い捨て紙おむつが実用されている。
【０００５】
しかしながら、このようなＦＴＴレスタイプのおむつにおいては、ファスニングテープの止着位置を示すターゲットがないため、ファスニングテープをバックシートの腹部位置表面に斜めに止着してしまうことが多く、このためファスニングテープの止着力が弱められておむつが使用中に身体から外れたり、あるいはずれてしまうという不具合があった。
【０００６】
上記事情に鑑み、特開平８−１５４９７４号公報には、ファスニングテープの止着位置を規制する目印線をバックシートの外面腹部位置に設けることが提案されている。図４はその使い捨て紙おむつ１の表面側（腹部側）を示す斜視図で、この使い捨て紙おむつ１は、透液性のトップ（表面）シート２と、不透液性のバック（裏面）シート３と、これらのシート間に介在された吸収体４と、吸収体４の周縁部前後のウエスト（腰周り）部５及びレッグ（脚周り）部６と、ウエスト部５及びレッグ部６を着用者にフィットさせるための弾性伸縮部材７、及び、装着時におむつを身体に固定するためのファスニングテープ１０を具備して成るＦＴＴレスタイプの使い捨て紙おむつにおいて、ファスニングテープ１０の端部を止着する前身頃腹部位置２０に平行な目印線３０を視認可能に設けたものである。
【０００７】
しかしながら、このような使い捨て紙おむつ１によれば、ファスニングテープ１０の上下方向の位置は規制されるものの、幅方向（腹部周り）の止着位置を特定する目印がないため、おむつ交換でファスニングテープ１０を止着する場合には装着者の勘に頼って行うのが一般的であった。このためファスニングテープ１０の止着位置が一定せず、おむつ自体が着用者の身体から外れたり、あるいはずれる等の不具合があった。また、このような使い捨て紙おむつ１は単に平行な目印線３０を設けただけのおむつであるので、とくに着用者が乳幼児であるような場合には飽きがきてしまい、知育を兼ねた楽しいおむつ交換は望めなかった。
【０００８】
これに対し、特開２００１−２９３８５号公報には、おむつの中心位置やファスニングテープのランディングゾーン、すなわち止着位置を表示する印刷（以下「ターゲット印刷」という）をバックシートに施したＦＴＴレスタイプの使い捨て紙おむが開示されている。図５はその概要を説明するために一部を破断し、全体を展開して裏面側から見た背面図であって、この使い捨て紙おむつ１’は、前記使い捨て紙おむつ１と対応させて説明すると、透液性のトップシート２と、吸収体４を裏面側から覆う上下方向に矩形状をなす不透液性のバックシート３と、バックシート３を外側から覆って配された外層シート８と、外層シート８の背部位置９ｂ左右両側に固定されたファスニングテープ１０，１０を具備して成るＦＴＴレスタイプの使い捨て紙おむつにおいて、バックシート３のいずれか一端部（図５では腹部位置９ｆ側）の表面又は裏面にターゲット印刷４０（図５に編み掛けで示す部分）を施し、外層シート８を通してこのターゲット印刷４０が外部から認識可能に設けたものである。
【０００９】
しかしながら、このように幅の狭いバックシート３にターゲット印刷を施した使い捨て紙おむつ１’では、バックシート３の幅寸法に制約されるため、ファスニングテープ１０の止着部分、すなわちターゲット部分を腹部周りに広く取ることができない欠点がある。また、このようにバックシート３自体に印刷した場合、とくに多色印刷をした場合にはコスト的にもアップしてしまうという欠点があった。
【発明が解決しようとする課題】
【００１０】
本発明は、上記実情に鑑みなされたものであり、その目的とするところは、ターゲット部分を腹部周りに広く取ることができ、かつコスト的にも安価なＦＴＴレスタイプの使い捨て紙おむつを提供することにある。
【００１１】
【課題を解決するための手段】
本発明の上記目的は、表面側を覆う透液性のトップシートと、裏面側を覆う不透液性のバックシートと、前記各シート間に介在された吸収体と、前記バックシートの最外層を形成する透明ないし半透明の外層シートと、フィット性を向上させるため腹部位置の上方のエンドフラップに設けられた弾性伸縮部材と、前記バックシートの外側背部両側に固定されたおむつ止着用のファスニングテープを具備して成るおむつ本体を長手方向中央部より折り畳むことにより前身頃と後身頃を形成するように構成されたＦＴＴレスタイプの使い捨て紙おむつにおいて、前記腹部位置における前記バックシートと前記外層シートとの間に前記ファスニングテープの止着位置を表示するターゲット印刷を施した帯条のシートを配設して成ることを特徴とする請求項１に係わる使い捨て紙おむつによって達成される。
【００１２】
また、本発明の上記目的は、前記ターゲット印刷は多色印刷であることを特徴とする、請求項２に係わる使い捨て紙おむつによってより効果的に達成される。
【００１３】
さらにまた、本発明の上記目的は、前記ターゲット印刷は乳幼児の知育を目的とした絵柄を含むことを特徴とする、請求項３に係わる使い捨て紙おむつによってより効果的に達成される。
【００１４】
【発明の実施の形態】
以下、上記本発明の詳細を、実施例を示す添付図面に基づき説明する。
【００１５】
図１は本発明の一実施形態に係わるＦＴＴレスタイプの使い捨て紙おむつ１００を展開し、裏面側から見た一部破断展開背面図である。本使い捨て紙おむつ１００は、表面側を覆う不織布等から成る透液性のトップシート１０２と、裏面側を覆うポリエチレンフィルム等から成る不透液性のバックシート１０３と、前記各シート間に介在された綿状パルプ等から成る吸収体１０４と、前記バックシート１０３の外側背部位置１０９ｂの両側に固定されたおむつ止着用のファスニングテープ１１０を具備して成るおむつ本体１０１を長手方向中央部より折り畳むことにより、前身頃と後身頃を形成するように構成されたＦＴＴレスタイプの使い捨て紙おむつであって、ターゲット印刷１４０を施した帯条のシート（以下「ターゲットシート」という）１４１を前記前身頃の腹部位置１０９ｆの幅方向に、該印刷が外部より目視可能に設けたものである。図示するように、おむつ本体１０１は、両サイドに夫々内側に湾曲したサイドフラップ１０６ｓが設けられて全体が砂時計形状とされ、この上下端部にはエンドフラップ１０７ｆ，１０７ｂが設けられている。なお、フィット性を向上させるために、サイドフラップ１０６ｓには複数本のゴム紐等から成る弾性伸縮部材１０８ｓが設けられ、同様にエンドフラップ１０７ｆには弾性伸縮部材１０８ｆが、またエンドフラップ１０７ｂには弾性伸縮部材１０８ｂが夫々設けられている。
【００１６】
ターゲットシート１４１は、不織布等の柔軟性を有する帯状のシート材で作られ、この長さは前記前身頃の腹部位置１０９ｆの幅方向に広く設定されている。このターゲットシート１４１の表面には、図２に示すようなファスニングテープ１１０の端部の止着位置を示すターゲット印刷１４０が施されている。このターゲット印刷１４０は、中央部に乳幼児の知育を目的とした動物（この例では兎）の絵柄１４０ａを、この両側にはファスニングテープ１１０の止着位置を示す目印模様１４０ｂを、アラビア数字の模様部１４０ｃや種々の動物（この例では猫や犬）１４０ｄと共に多色印刷したものである。
【００１７】
図３は、図１のＸ−Ｘ断面矢視図で、本使い捨て紙おむつ１００の断面構造を示すものである。図示するように、本使い捨て紙おむつ１００では、おむつ本体１０１の中核をなす吸収体１０４は、その上部側が上層クレープ紙１１１ｆ及びトップシート１０２で覆われ、下部側が下層クレープ紙１１１ｂ、バックシート１０３、及び透明ないし半透明の不織布等から成る外層シート１１２によって覆われている。また、サイドフラップ１０６ｓの表面側長手方向には、一端部が外層シート１１２に固着され、他端部が吸収体１０４方向に向かって開放され、かつ該端部に弾性収縮部材１０８ｇを有するギャザーシート１１３が付設されている。このギャザーシート１１３は、フィット性の向上と液漏れ防止を図るべく、おむつ本体１０１の長手方向中央部、すなわち脚周り部で立体ギャザーを形成し、この両端部では平面ギャザーを形成するように設けられている。
【００１８】
前記ターゲットシート１４１はバックシート１０３と外層シート１１２との間に介在され、接着剤あるいは熱溶着等により固着されている。本使い捨て紙おむつ１００ではターゲットシート１４１がこのように設けられているので、おむつ装着者はこの表面に印刷されたターゲット印刷１４０を外側から見ることができる。
【００１９】
本使い捨て紙おむつ１００は以上のとおり構成されているので、おむつの装着に際し、装着者はファスニングテープ１１０の端部をターゲットシート１４１に印刷された止着位置をターゲットにして引き出し、外層シート１１２の腹部側の所定位置に確実かつしっかりと止着することができる。
【００２０】
また、このターゲットシート１４１に施されるターゲット印刷１４０は腹部位置１０９ｆの幅方向に広く印刷されているので、おむつの腹回りを大きく使うことができ、お腹周りの大きい装着者であっても十分に対応することができる。
【００２１】
また、ターゲット印刷１４０には、乳幼児が好み、あるいは関心を示す絵柄模様が印刷されているので、知育を兼ねた楽しいおむつ交換ができる。
【００２２】
さらにまた、本使い捨て紙おむつ１００はターゲット印刷１４０を多色印刷したターゲットシート１４１を用いていることに起因し、従来のバックシートに直接印刷したものに較べ、製造コストが大幅に低減されることが本発明者によって確認されている。なお、この印刷には、グラビア印刷、フレキソ印刷、スクリーン印刷等の公知の印刷が適用可能である。
【００２３】
以上、本発明の内容を一実施例に基づき説明したが、本発明は必ずしも前記実施例に限定されるものではなく、構成上種々の変更が可能である。
【００２４】
例えば、ターゲットシートに施す印刷は多色に限らず１色でもよく、また印刷内容も絵柄、文字、数字及びこれらの組合せ等、種々のものが適用可能である。
【００２５】
また、ターゲットシートには柔軟性と印刷適性を有するシート材の全てが適用可能であり、この形状も、おむつ全体のサイズや用途に応じて任意に設定し得るものである。
【００２６】
【発明の効果】
以上のとおり、本発明に係わる使い捨て紙おむつによれば、ターゲット部分を腹部周りに広く取ることができ、かつコスト的にも安価なＦＴＴレスタイプの使い捨て紙おむつを提供することができる。
【００２７】
とくに、ターゲット部分に乳幼児が好み、あるいは関心を示すような動物等の絵柄や模様を施した使い捨て紙おむつによれば、知育を兼ねた楽しいおむつ交換ができる。
【図面の簡単な説明】
【図１】本発明の一実施例に係わる使い捨て紙おむつの一部破断展開背面図である。
【図２】ターゲット印刷の一例を示す正面図である。
【図３】図１のＸ−Ｘ断面矢視図である。
【図４】従来の使い捨て紙おむつの斜視図である。
【図５】従来の使い捨て紙おむつの一部破断展開背面図である。
【符号の説明】
１，１’          （従来の）使い捨て紙おむつ
２                  トップシート
３                  バックシート
４                  吸収体
５                  腰周り部
６                  脚周り部
７                  弾性収縮部材
８                  外層シート
１０                ファスニングテープ
３０                目印線
４０                ターゲット印刷
１００            （本発明に係わる）使い捨て紙おむつ
１０１              おむつ本体
１０２              トップシート
１０３              バックシート
１０４              吸収体
１０６ｓ            サイドフラップ
１０７ｂ，ｆ        エンドフラップ
１０８ｆ，ｇ，ｓ    弾性伸縮部材
１０９ｂ            背部位置
１０９ｆ            腹部位置
１１０              ファスニングテープ
１１１ｂ          下層クレープ紙
１１１ｆ          上層クレープ紙
１１２            外層シート
１１３            ギャザーシート
１４０            ターゲット印刷
１４１            ターゲットシート
【図１】
0004102059.tif 000002
【図２】
0004102059.tif 000003
【図３】
0004102059.tif 000004
【図４】
0004102059.tif 000005
【図５】
0004102059.tif 000006